(57)【要約】【課題】タブレット端末からタッチスクリーンカバーが外れることを防ぐことができるタブレット端末用背面保護カバーを提供する。【解決手段】本発明によれば、タブレット端末の背面を覆う背面保護カバーであって、前記背面保護カバーは、前記タブレット端末のタッチスクリーンを覆う着脱式のタッチスクリーンカバーの着脱部を覆って前記タッチスクリーンカバーと前記タブレット端末の分離を防止する分離防止部を備える、背面保護カバーが提供される。【選択図】図３
2014132372.tif 000002
【特許請求の範囲】
【請求項１】
タブレット端末の背面を覆う背面保護カバーであって、
前記背面保護カバーは、前記タブレット端末の背面を覆う本体部と、前記本体部から延びる分離防止部とを備え、
前記分離防止部は、前記タブレット端末のタッチスクリーンを覆う着脱式のタッチスクリーンカバーの着脱部を覆って前記タッチスクリーンカバーと前記タブレット端末の分離を防止する、背面保護カバー。
【発明の詳細な説明】
【技術分野】
【０００１】
本発明は、タブレット端末用背面保護カバーに関する。
【背景技術】
【０００２】
アップル社から発売されたタブレット端末用アクセサリの一つに、内蔵されたマグネットでタブレット端末に着脱させることができ、このタブレット端末のタッチスクリーンを保護することができるタッチスクリーンカバーがある。また、このタッチスクリーンカバーは、折り畳んだときにキーボードスタンドとしても機能するので、非常に便利である。
【発明の概要】
【発明が解決しようとする課題】
【０００３】
上記のタッチスクリーンカバーは、このように非常に便利なものであるが、本発明者が使用したところ、タッチスクリーンカバーだけを掴んで持ち上げたりしたときに、タッチスクリーンカバーがタブレット端末から外れてしまう場合があることに気がついた。タッチスクリーンカバーが外れるという問題を防ぐには、マグネットの力を強くしたり、接着剤などでタッチスクリーンカバーをタブレット端末に固定してしまえばいいが、上記タッチスクリーンカバーの魅力の一つは不要なときに簡単に取り外すことができるという点にあるので、このような方法で上記タッチスクリーンカバーを外れにくくすることは、このタッチスクリーンカバーの魅力を低減してしまう。
【０００４】
このような問題は、アップル社製のタブレット端末と、このタブレット端末用の上記タッチスクリーンカバーの組み合わせに限らず、アップル社製のタブレット端末以外のタブレット端末と、このタブレット端末に着脱可能なタッチスクリーンカバーの組み合わせの場合にも同様に生じ得る。
【０００５】
本発明はこのような事情に鑑みてなされたものであり、タブレット端末からタッチスクリーンカバーが外れることを防ぐことができるタブレット端末用背面保護カバーを提供するものである。
【課題を解決するための手段】
【０００６】
本発明によれば、タブレット端末の背面を覆う背面保護カバーであって、前記背面保護カバーは、前記タブレット端末のタッチスクリーンを覆う着脱式のタッチスクリーンカバーの着脱部を覆って前記タッチスクリーンカバーと前記タブレット端末の分離を防止する分離防止部を備える、背面保護カバーが提供される。
【０００７】
タブレット端末の背面には、タブレット端末の筐体にキズが入るのを防ぐために背面保護カバーが取り付けられることがあるが、本発明者は、タッチスクリーンカバーをタブレット端末に取り付ける際の着脱部を覆う形状の分離防止部を備える背面保護カバーを用いることによって、タッチスクリーンカバーの外れの問題を防ぐことができることを見出し、本発明の完成に到った。
【図面の簡単な説明】
【０００８】
【図１】タッチスクリーンカバーが取り付けられたタブレット端末に、本発明の一実施形態の背面保護カバーが取り付けられている状態を示し、（ａ）は平面図であり、（ｂ）は背面図であり、（ｃ）は側面図である。
【図２】図１中のＡ−Ａ断面図である。
【図３】図２中の領域Ｂの拡大図である。
【発明を実施するための形態】
【０００９】
以下、図１〜図３を用いて、本発明の実施形態について説明する。以下の実施形態は、例示であって、本発明の範囲は、以下の実施形態で示すものに限定されない。
【００１０】
図１〜図３に示すように、タブレット端末（例：iPad2）１のタッチスクリーン側にはタッチスクリーンカバー（例：iPad Smart Cover）３が設けられている。タッチスクリーンカバー３は、着脱式であり、タブレット端末１のタッチスクリーン（図示せず）を覆う本体部３ａと、タッチスクリーンカバー３をタブレット端末１に着脱可能にする着脱部３ｂとを備える。着脱部３ｂには、マグネットが内蔵されていて、磁力によって着脱部３ｂがタブレット端末１の側面に固定されるようになっている。本体部３ａは、ヒンジ部３ｃにおいて、着脱部３ｂに対して旋回自在であり、着脱部３ｂがタブレット端末１に固定された状態で本体部３ａの開閉が可能になっている。
【００１１】
タブレット端末１の背面側には、背面保護カバー５が設けられている。背面保護カバー５は、着脱式であり、タブレット端末１の背面（及び側面）を覆う本体部５ａと、本体部５ａから延びる分離防止部５ｂを備える。本体部５ａは、タブレット端末１に固定可能である。分離防止部５ｂは、着脱部３ｂと取り囲むように屈曲しており、着脱部３ｂがタブレット端末１から離れることを防止する。従って、本実施形態の背面保護カバー５を用いれば、タッチスクリーンカバー３だけを持ち上げてもタッチスクリーンカバー３がタブレット端末１から外れることがなく、タブレット端末１の落下などの問題を防ぐことができる。また、分離防止部５ｂがない背面保護カバーを用いた場合、着脱部３ｂの周囲が露出することになり、そのため、この領域でタブレット端末１にキズが入る恐れがあるが、分離防止部５ｂを有する本実施形態の背面保護カバー５を用いれば、着脱部３ｂの周囲も背面保護カバー５で覆われることになるので、このようなキズの問題も防ぐことができる。
【００１２】
背面保護カバー５は、好ましくは、ポリカーボネートからなる。この場合、背面保護カバー５を透明にすることができるので、背面保護カバー５を取り付けた状態でタブレット端末１の背面に設けられたロゴなどを視認することができる。
【符号の説明】
【００１３】
１：タブレット端末  ３：タッチスクリーンカバー  ３ａ：タッチスクリーンカバーの本体部  ３ｂ：タッチスクリーンカバーの着脱部  ３ｃ：タッチスクリーンカバーのヒンジ部  ５：背面保護カバー  ５ａ：背面保護カバーの本体部  ５ｂ：背面保護カバーの分離防止部
【図１】
2014132372.tif 000003
【図２】
2014132372.tif 000004
【図３】
2014132372.tif 000005
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
タブレット端末の背面を覆う背面保護カバーであって、
前記背面保護カバーは、前記タブレット端末の背面を覆う本体部と、前記本体部から延びる分離防止部とを備え、
前記分離防止部は、前記タブレット端末のタッチスクリーンを覆う着脱式のタッチスクリーンカバーの着脱部を覆って前記タッチスクリーンカバーと前記タブレット端末の分離を防止する、背面保護カバー。
【請求項２】
前記着脱部は、前記タブレット端末の側面に設けられる、請求項１に記載の背面保護カバー。
【請求項３】
前記分離防止部は、前記着脱部を取り囲むように屈曲している、請求項１又は２に記載の背面保護カバー。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
タブレット端末の背面を覆う背面保護カバーであって、
前記背面保護カバーは、前記タブレット端末の背面を覆う本体部と、前記本体部から延びる分離防止部とを備え、
前記分離防止部は、前記タブレット端末のタッチスクリーンを覆う着脱式のタッチスクリーンカバーの着脱部を覆って前記タッチスクリーンカバーと前記タブレット端末の分離を防止し、
前記背面保護カバーは、着脱式である、背面保護カバー。
【請求項２】
前記着脱部は、前記タブレット端末の側面に設けられる、請求項１に記載の背面保護カバー。
【請求項３】
前記分離防止部は、前記着脱部を取り囲むように屈曲している、請求項１又は２に記載の背面保護カバー。